(57)【要約】試験片の特性を測定するためのモバイル機器用のアクセサリを提供する。アクセサリには、試験片アダプタ、電話アダプタ、および連結器が含まれる。試験片アダプタは、試験片タイプ用の試験片アタッチメントと、他の試験片タイプ用の他の試験片アダプタと共有される第１インターロックとを含む。電話アダプタには、モバイル機器モデル用の電話機アタッチメントと、他のモバイル機器モデル用の他の電話アダプタと共有される第２インターロックが含まれています。連結器は、試験片アダプタの第１インターロックと第１の対をなす第３インターロックと、電話アダプタの第２インターロックと第２の対をなす第４インターロックとを含む。
2018536838.tif 000002
【特許請求の範囲】
【請求項１】
試験片タイプ用の試験片アタッチメントと、他の試験片タイプ用の他の試験片アダプタと共有される第１インターロックとを含む試験片アダプタと、
モバイル機器モデル用の電話アタッチメントと、他のモバイル機器モデル用の他の電話アダプタと共有される第２インターロックとを含む電話アダプタと、
前記試験片アダプタの前記第１インターロックと第１の対をなす第３インターロックと、前記電話アダプタの第２インターロックと第２の対をなす第４インターロックとを有する連結器と
を備える、試験片の特性を測定するモバイル機器用のアクセサリ。
【請求項２】
前記試験片アダプタは、
前記第１インターロックを有し、（１）開放端部および（２）試験片を見るための底部開口を画定するシースと、
前記シースのキャップであり、前記試験片を受け入れるためのキャビティを画定する前記キャップであって、前記キャビティが試験片アタッチメントである前記キャップと
を備える、請求項１に記載のアクセサリ。
【請求項３】
前記試験片アダプタは、
前記試験片に嵌合する試験片カバーであって、前記試験片アタッチメントである前記試験片カバーと、
前記試験片カバーに嵌合するキャップであって、前記第１インターロックを有する前記キャップと
を備える、請求項１に記載のアクセサリ。
【請求項４】
前記連結器は、ケースを備え、
前記ケースは、
前記第３インターロックを含み、前記試験片アダプタ内の前記試験片への試験片開口を画定する上部と、
前記第４インターロックを含み、（１）モバイル機器の画面の一部へのスクリーン開口と、（２）モバイル機器のカメラへのカメラ開口とを画定する下部と
を備える、請求項１に記載のアクセサリ。
【請求項５】
前記連結器は、前記スクリーン開口を通じてスクリーンの一部から受け取る光を受光し、前記試験片開口を通じて見られる前記試験片を均一に照明するための前記ケース内の光ガイドを含む、請求項４に記載のアクセサリ。
【請求項６】
前記光ガイドは、くさび部と、前記くさび部の出力面から長手方向に延びる２つの脚部とを含む、請求項５に記載のアクセサリ。
【請求項７】
前記くさび部は、
前記スクリーン開口の上方の入力面と、
前記スクリーン開口の上方の傾斜した反射面と、
前記傾斜した反射面と対向する鉛直出力面と
を備え、
前記２つの脚部は、反射面を含む先端を備える、請求項６に記載のアクセサリ。
【請求項８】
前記反射面は、拡散領域を含み、
前記２つの脚部は、前記拡散領域対向する出力面から延びており、
前記２つの脚部は、前記出力面に近接した拡散領域を含む上面を有している、請求項７に記載のアクセサリ。
【請求項９】
前記光ガイドは、
前記スクリーン開口の上方の傾斜した反射面と、
３つの反射側壁面と、
開口を画定するベース反射面と
備える、請求項５に記載のアクセサリ。
【請求項１０】
前記電話アダプタは、
カメラ開口を画定し、前記第２インターロックを備えるフェースプレートと、
前記フェースプレートの３つの側面から延びるばねクリップと
を備える、リムーバブルクリップである、請求項１に記載のアクセサリ。
【請求項１１】
前記電話アダプタは前記モバイル機器ケースの一部であり、前記一部はカメラ開口および前記第２インターロックを含む、請求項１に記載のアクセサリ。
【請求項１２】
前記電話アダプタは、カメラ開口を画定するフェースプレートであり、前記フェースプレートは、（１）前記第２インターロックおよび（２）前記フェースプレートの背面の接着剤を有する、請求項１に記載のアクセサリ。
【請求項１３】
前記試験片アダプタは前記連結器へのカバーおよび試験片キャリアを含み、前記カバーは前記試験片キャリアを受け入れるスロットを画定する、請求項１に記載のアクセサリ。
【請求項１４】
前記試験片キャリアは、
サンプルコレクタを画定する上半部と、
前記試験片アタッチメントを有し、記試験片への試験片開口を画定する下半部と
を備える、請求項１３に記載のアクセサリ。
【請求項１５】
前記試験片アダプタは前記連結器へのカバーを含み、前記カバーは前記試験片または前記試験片キャリアを受け入れるスロットを画定する、請求項１３に記載のアクセサリ。
【請求項１６】
前記カバーは、前記試験片にアクセスするための上部スライドドアを備える、請求項１５に記載のアクセサリ。
【請求項１７】
前記カバーはコードカードを受けるためのコードスロットを備え、前記コードカードは前記試験片についての識別情報を含む、請求項１６に記載のアクセサリ。
【請求項１８】
モバイル機器のカメラへのカメラ開口を画定するフェースプレートと、
モバイル機器モデル用の電話アタッチメントと、
試験片に対するガイド、試験片アダプタ、または前記試験片アダプタの連結器と
を備える、試験片の特性を測定するためのモバイル機器へのアクセサリにおける電話アダプタ。
【請求項１９】
前記電話アダプタは前記フェースプレートの３つの側面から延びるばねクリップを有するリムーバブルクリップである、請求項１８に記載の電話アダプタ。
【請求項２０】
前記電話アダプタは、キャップ、または、前記モバイル機器の上端に嵌合するケースの一部である、請求項１８に記載の電話アダプタ。
【請求項２１】
前記フェースプレートは前記フェースプレートの背面に接着剤を有している、請求項１８に記載の電話アダプタ。
【請求項２２】
前記ガイドは、試験片キャリアまたはアダプタの形状に合うフェースプレート上のフレームを含む、請求項１８に記載の電話アダプタ。
【請求項２３】
前記ガイドは、他のモバイル機器モデル用の他の電話アダプタと共有されるインターロックを備える、請求項１８に記載の電話アダプタ。
【請求項２４】
前記試験片アダプタまたは前記連結器は、前記電話アダプタの前記インターロックと対をなす別のインターロックを備える、請求項２３に記載の電話アダプタ。
【請求項２５】
第１インターロックを有し、試験片への試験片開口を画定する上部と、
第２インターロックを有し、（１）モバイル機器のスクリーン開口の一部へのスクリーン開口および（２）前記モバイル機器のカメラへのカメラ開口を画定し、前記カメラ開口は前記試験片開口と対向する下部と
を備えるケースを有する、試験片の特性を測定するためのモバイル機器へのアクセサリにおける連結器。
【請求項２６】
前記ケース内に光ガイドをさらに含む、請求項２５に記載の連結器。
【請求項２７】
前記光ガイドは、くさび部と、前記くさび部の出力面から長手方向に延びる２つの脚部とを備える、請求項２６に記載の連結器。
【請求項２８】
前記くさび部は、前記スクリーン開口の上方の入力面と、前記スクリーン開口の上方の傾斜した反射面と、前記傾斜した反射面と対向する鉛直出力面とを備え、
前記２つの脚部は、反射面を有する先端を備える、請求項２７に記載の連結器。
【請求項２９】
前記反射面は、拡散領域を含み、
前記２つの脚部は、前記拡散領域と対向する出力面から延びており、
前記２つの脚部は、前記出力面に近接した拡散領域を含む上面を有している、請求項２６に記載の連結器。
【請求項３０】
前記光ガイドは、
前記スクリーン開口の情報の傾斜した反射面と、
３つの反射側壁面と、
開口を画定するベース反射面と
を備える、請求項２５に記載の連結器。
【請求項３１】
温度を示す温度カードをさらに備える、請求項２５に記載の連結器。
【請求項３２】
試験片を摩擦保持するように寸法決めされたキャビティを画定するキャップと、
インターロックを備え、（１）前記キャップを受ける開口端および（２）前記試験片を見るための底部開口を画定するシースと
を備える、試験片用の試験片アダプタ。
【請求項３３】
試験片に嵌合し、前記試験片を保持する試験片カバーと、
前記試験片カバーに嵌合し、前記試験片カバーを保持し、インターロックを備える前記キャップと
を備える、試験片用の試験片アダプタ。
【発明の詳細な説明】
【技術分野】
【０００１】
（関連出願との相互参照）
本出願は、２０１５年９月１６日に出願された米国仮出願第６２／２１９３８３号の利益を主張し、これを参照することによってその全体が本明細書に組み込まれる。
【０００２】
本開示は、概して、光化学に基づく体外診断装置のための方法およびシステムに関する。
【背景技術】
【０００３】
近年、慢性疾患患者には、体外診断（ＩＶＤ）装置の特に血糖計が広く採用されている。測定を行うためには、患者は通常、スタンドアローンのＩＶＤ装置を一日中携帯する必要がある。患者は、ときにＩＶＤ装置を携帯することを忘れると、適時に健康状態を監視することができなくなる。
【０００４】
典型的なＩＶＤ測定のためには、酵素および試薬からなる試験片が使用される。サンプル流体を受けると、電気インピーダンスまたは色などの試験片の特性が血中グルコースまたは血中コレステロールなどの対象分析物の濃度に従って変化する。
【０００５】
光化学に基づくＩＶＤシステムは、通常、受けた分析物の濃度に応じて色を変える試験片、試験片を照らす特定の光源、散乱光を検出する光学センサ、および光を分離するケースを含む。
【発明の概要】
【０００６】
本開示の例では、試験片の特性を測定するためのモバイル機器用のアクセサリを提供する。アクセサリには、試験片アダプタ、電話アダプタ、および連結器が含まれる。試験片アダプタは、試験片タイプ用の試験片アタッチメントと、他の試験片タイプ用の他の試験片アダプタと共有される第１インターロックとを含む。電話アダプタは、モバイル機器モデル用の電話アタッチメントと、他のモバイル機器モデル用の他の電話アダプタと共有される第２インターロックとを含む。連結器は、試験片アダプタの第１インターロックと第１の対をなす第３インターロックと、電話アダプタの第２インターロックと第２の対をなす第４インターロックとを含む。
【図面の簡単な説明】
【０００７】
【図１】図１は、本開示の例におけるモバイル機器のアクセサリを示す。
【図２】図２は、本開示の例における図１の電話アダプタの詳細を示す。
【図３】図３は、本開示の例における図１の電話アダプタの詳細を示す。
【図４】図４は、本開示の例における図１の電話アダプタの詳細を示す。
【図５】図５−１は、本開示の例における図１の試験片機器の詳細を示す。図５−２，５−３は、本開示の例における図１の電話アダプタと互換性のある異なる角度からの試験片アダプタの詳細を示す。
【図６】図６は、本開示の例における図１の試験片機器と互換性のある電話アダプタを示す。
【図７】図７は、本開示の例における図１の試験片機器と互換性のある電話アダプタを示す。
【図８】図８は、本開示の例におけるモバイル機器のアクセサリを示す。
【図９】図９は、本開示の例における図８の連結器の詳細を示す。
【図１０】図１０は、本開示の例における図８の試験片アダプタの詳細を示す。
【図１１】図１１は、本開示の例における図８のコードカードを示す。
【図１２】図１２は、本開示の例における図８の連結器の蓋の詳細を示す。
【図１３】図１３−１は、本開示の例におけるモバイル機器のアクセサリを示す。図１３−２は、本開示の例における図１３−１のカバーを示す。
【図１４】図１４−１および図１４−２は、本開示の例における図１３の連結器と互換性のある異なる角度からの試験片アダプタを示す。
【図１５】本開示の例におけるモバイル機器のアクセサリを示す。
【図１６】図１６−１および図１６−２は、本開示の例における異なる角度からの図１５の試験片アダプタの詳細を示す。図１６−３は、本開示の例における図１５の連結器と互換性のある試験片アダプタの詳細を示す。
【図１７】図１７−１および図１７−２は、本開示の例における異なる角度からの図１５の連結器の詳細を示す。
【図１８】図１８は、本開示の例における試験片のための電話アダプタを含むモバイル機器ケースを示す。
【図１９】図１９は、本開示の例における本開示の実施例における接着剤付き電話アダプタを示す。
【図２０】図２０は、本開示の例における光ガイドの斜視図を示す。
【図２１】図２１は、本開示の例における光ガイドの側面図を示す。
【図２２】図２２は、本開示の例における光ガイドの上面図を示す。
【図２３】図２３は、本開示の例における別の光ガイドの斜視図を示す。
【図２４】図２４は、本開示の例における別の光ガイドの側面図を示す。
【図２５】図２５は、本開示の例における別の光ガイドの上面図を示す。
【図２６】図２６は、本開示の例におけるモバイル機器のアクセサリを示す。
【図２７】図２７は、本開示の例における図２６の試験片の詳細を示す。
【図２８】図２８は、本開示の例における図２６の電話アダプタの詳細を示す。
【発明を実施するための形態】
【０００８】
本開示の前述の特徴および他の特徴は、添付の図面と併せて以下の説明および添付の特許請求の範囲から、より完全に明らかになる。これらの図面は、本開示によるいくつかの実施形態のみを示しており、その範囲を限定することを意図したものではない。本開示は、添付の図面の使用を通じてさらに限定および詳細化して記載される。
【０００９】
本明細書で使用される場合、「含む（includes）」という用語は含む（includes）を意味するがこれに限定されるものではく、「含んでいる（including）」という用語は含んでいる（including）を意味するがこれに限定されるものではない。単数形の記載は、特定の要素の少なくとも１つを示すことを意図する。「に基づく」という用語は、少なくとも部分的に基づいていることを意味する。用語「または」は、特に明記しない限り、非排他的に使用され、例えば「ＡまたはＢ」は、「ＡであるがＢでない」、「ＢであるがＡでない」、および「ＡかつＢ」を含む。
【００１０】
現今では、ほとんどのモバイル機器は、照明のための光源として役立つ少なくとも１つのディスプレイパネルを含む。さらに、モバイル機器はまた、ディスプレイパネルと同じ側に位置する少なくとも１つの画像センサまたは光センサを有する。
【００１１】
本開示では、モバイル機器（例えば、スマートフォンまたはタブレット）のディスプレイパネルおよび画像／光センサとともに、試験片または試験片を含む試験片機器を使用して、生理化学的パラメータを測定する。モバイル機器内のソフトウェアは、ユーザに測定手順を遂行するよう指示する。
【００１２】
試験片または試験片機器の位置決めは、正確な値を得るために重要である。本開示の例は、モバイル機器（携帯電話またはタブレット）への試験機器の適合性および位置精度を改善する方法を提供する。携帯電話１０２を単に一例として使用するが、本開示はタブレットまたは他のモバイル機器にも等しく適用可能である。
【００１３】
図１は、本開示のいくつかの例におけるモバイル機器（例えば、携帯電話）用のアクセサリ１００を示す。アクセサリ１００およびソフトウェアを使用して、携帯電話１０２は、試験片の特性を測定し、その特性を健康情報に関連付けることができる。
【００１４】
アクセサリ１００は、電話アダプタ１０４を含む。電話アダプタ１０４は、携帯電話１０２の上部を摺動して固定されるリムーバブルクリップであってもよい。クリップ１０４が携帯電話１０２に固定された後、試験片機器１１２がクリップ上に配置される。試験片機器１１２は、（図示のように）試験片を収容する使い捨て試験片キャリア、試験片用の試験片アダプタ（後述）、またはクリップ１０４と試験片アダプタとを接続するための連結器（後述）であってもよい。
【００１５】
図２は、本開示のいくつかの例におけるクリップ１０４の拡大図を示す。クリップ１０４は、レシーバスロット２０４を画定するフェースプレート２０２を含む。フェースプレートは、フェースプレート上に試験片機器１１２を配置する突起またはアンカーを受けるレシーバスロット２０４を画定する。アンカーは、図５−１の試験片機器キャリア５００−１のアンカー５１３と類似してもよい。フェースプレート２０２は、試験片機器１１２の着脱時にレシーバスロット２０４が撓むことを可能にするＶ字形の切欠き２０６を含む。
【００１６】
フェースプレート２０２は、カメラウィンドウ２０８を画定する。クリップ１０４が携帯電話１０２に取り付けられると、カメラウィンドウ２０８はカメラで撮像できるように携帯電話１０２のカメラ１０８（図１）を露出させる。カメラウィンドウ２０８は、レンズを含んでもよい。フェースプレート２０２が携帯電話１０２のスクリーン１１０（図１）の上方まで延在する場合、フェースプレートは光源として使用されるスクリーンの一部を露出させるスクリーン開口２１０を画定する。
【００１７】
試験片機器１１２（図１）をクリップ１０４および携帯電話１０２に対して位置決めするために、フェースプレート２０２はガイド２１２を含む。ガイド２１２は、試験片機器１１２のフットプリントと一致するフレームであってもよい。例えば、ガイド２１２は、試験片機器１１２を受ける上端開口を有するＵ字形のフレームであってもよい。あるいは、フレーム２１２は、Ｌ字形のような他の形状を有してもよい。
【００１８】
図３は、本開示のいくつかの例におけるクリップ１０４の内部を示す。クリップ１０４の内側面は、携帯電話１０２（図１）の２つの側面を押圧する保持機構３０２（１つのみが見える）を有する。保持機構３０２は、携帯電話１０２の挿入方向に沿って長手方向に配置された突起であってもよい。クリップ１０４は、携帯電話１０２のボタンを収容する溝を画定してもよい。
【００１９】
図４は、本開示のいくつかの例においてクリップ１０４を下側から見た図である。クリップ１０４は、フェースプレート２０２と、バックプレート４０２と、フェースプレートおよびバックプレートの側部に接合された２つの側壁４０４とを含む。各側壁４０４は、クリップ１０４がある範囲の厚みの携帯電話を収容することを可能にするＵ字形のバネ４０６を含む。バックプレート４０２は、携帯電話１０２（図１）の背面カメラ（ラベルされていない）を収容するための突起４０８を含む。視認できないが、クリップ１０４は、フェースプレート２０２およびバックプレート４０２の上部に接続された屋根を含む。フェースプレート２０２、バックプレート４０２、側壁４０４、および屋根によって、携帯電話１０２への機械的な取り付けが形成される。
【００２０】
クリップ１０４は、特定の電話モデル（例えば、ｉＰｈｏｎｅ６[登録商標]）用の電話アダプタである。したがって、クリップ１０４は、特定の寸法を有し、その特定の電話モデルを収容するための特定の要素を組み込んでいる。同時に、ガイド２１２（図２）は、電話アダプタが試験片機器１１２と互換性があるように、異なる携帯電話モデル用の電話アダプタ間で共有される共通の寸法を有する。ガイド２１２は、複数のベンダー／製造業者による使用のために標準化されてもよい。
【００２１】
試験片機器１１２は、特定の寸法を有し、特定の試験片タイプを収容するための特定の要素を組み込んでいる。同時に、試験片機器１１２は、異なる試験片タイプに対して試験片機器間で共有される均一な寸法を有するので、試験片機器はクリップ１０４と互換性がある。
【００２２】
図５−１は、本開示のいくつかの例における使い捨て試験片キャリア５００−１のアセンブリを示す。試験片キャリア５００−１は、クリップ１０４と互換性のある試験片機器１１２である。試験片５０２は、接着剤または機械的取り付けによってキャリア本体５０４内に配置され固定される。キャリア本体５０４は、生理学的サンプルを試験片５０２に運ぶサンプルコレクタ（図１）を画定する。光ガイド５０８は、試験片５０２上に配置され、接着剤または機械的取り付けによってキャリア本体５０４に固定される。光ガイド５０８の底部は、入力ポート５１０−１およびカメラ穴５１２を含む。光ガイド５０８の上部は、入力ポート５１０−１と連通する出力ポート５１０−２（図５−２）を含み、キャリアベース５１４はキャリア本体５０４の開放底部に固定される。キャリアベース５１４は、光ガイド５０８の入力ポート５１０−１およびカメラ穴５１２の上方に光穴５１６およびカメラ穴５１８をそれぞれ画定する。キャリアベース５１４は、フェースプレート２０２（図２）上のレシーバスロット２０４（図２）に嵌合するアンカー５１３を含む。ランセット５２０は、キャリア本体５０４のランセット開口内に挿入される。
【００２３】
動作中、ユーザは、サンプルを試験片５０２まで運ぶサンプルコレクタ１１４にサンプルを用意する。光ガイド５０８は、光穴５１６および入力ポート５１０−１を通じてスクリーン１１０（図１）から光を受け取り、試験片５１０の反応領域上の出力ポート５１０−２（図５−２）を介して光を投射する。カメラ１０８（図１）は、カメラ穴５１８、カメラ穴５１２、および出力ポート５１０−２を通じて反応領域の画像を取得する。
【００２４】
図５−２および図５−３は、本開示の例における試験片アダプタ５００−２の分解図を示す。試験片キャリア５００−２は、クリップ１０４と互換性のある試験片機器１１２である。試験片アダプタ５００−２は、キャリアカバー５２２、キャリア本体５２４、キャリアベース５１８、および光ガイド５０８を含む。
【００２５】
光ガイド５０８は、接着剤または機械的取り付けによってキャリア本体５２４に配置および固定され、キャリアベース５１４、キャリア本体５２４の底部開口に固定される。前述のように、キャリアベース５１４は、アンカー５１３を含み、入力ポート５１０−１（図５−１）および光ガイド５０８のカメラ穴５１８（図５−１）の上方に光穴５１６およびカメラ穴５１８をそれぞれ画定する。
【００２６】
キャリア本体５２４は、ガイド５２６を有する上部を有し、試験片開口５２８を画定する。ガイド５２６は、試験片５１０を受け入れるように寸法決めされたスロットを画定する。キャリア本体５２４は、別の試験片タイプとの互換性のための追加のガイド５２７を含む。試験片開口５２８は、ガイド５２６によって画定された空間内に配置され、光ガイド５０８の出力ポート５１０−２の上方に配置される。
【００２７】
動作中、ユーザは、試験片５１０上にサンプルを用意し、試験片開口５２８の上方にてガイドポスト５２６によって画定されたスロットに試験片を挿入し、キャリアカバー５２２をキャリア本体５２４上に配置して周囲光を遮断する。光ガイド５０８は、光穴５１６および入力ポート５１０−１（図５−１）を介してスクリーン１１０（図１）から光を受け、試験片５１０の反応領域上の出力ポート５１０−２および試験片開口５２８を介して光を投影する。カメラ１０８（図１）は、カメラ穴５１８、カメラ穴５１２（図５−１）、出力ポート５１０−２、および試験片開口５２８を通じて反応領域の画像を撮像する。
【００２８】
図６は、本開示のいくつかの例における電話アダプタ６００を示す。電話アダプタ６００は、異なる電話モデル６０２（例えば、Ｇａｌａｘｙ Ｓ６[登録商標]）用であるが、クリップ１０４（図１）に類似するリムーバブルクリップである。クリップ６００は、カメラウィンドウ６０４と、スクリーンウィンドウ６０６と、この特定の電話モデル上のカメラの位置と一致するようにクリップの側面に配置されたガイド６０８とを含む。クリップ６００はまた、試験片機器上のアンカーを受け入れるためのアンカースロット６１０と、アンカースロット６１０が撓むことを可能にする切欠き６１２とを含む。クリップ６００はその他の点でクリップ１０４に類似してもよい。
【００２９】
図７は、本開示のいくつかの例における電話アダプタ７００を示す。電話アダプタ７００は、クリップ１０４（図１）と類似するリムーバブルクリップである。クリップ７００は、フェースプレート７０２と、フェースプレートの上面および２つの側面から下方に延びるばねクリップ７０４とを含み、携帯電話１０２（図１）の上端部を締め付けるものである。ばねクリップ７０４は、携帯電話１０２への機械的取り付けを形成する。ばねクリップ７０４に代えて、クリップ７００は、クリップ１０４のように、側壁、バックプレート、および屋根を含んでもよい。
【００３０】
フェースプレート７０２は、ガイド７０６を含む。ガイド７０６は、試験片機器１１２（図１）上のインターロック相手部と対をなすインターロックであってもよい。例えば、インターロック７０６はスロットまたはレールで構成され、試験片機器１１２上のインターロック相手部はスロットまたはレール７０６を摺動するタブまたはウェイからなる。各スロット７０６は、試験片機器１１２上の対応するタブ上で保持機構相手部と係合する保持機構７１４を含む。例えば、保持機構７１４は、戻り止めキャッチまたは戻り止めノッチである。クリップ７００は、他の態様でクリップ１０４と類似してもよい。
【００３１】
図８は、本開示のいくつかの例における携帯電話１０２用のアクセサリ８００のアセンブリを示す。アクセサリ８００およびソフトウェアを使用して、携帯電話１０２は、試験片の特性を測定し、特性を健康情報に関連付けることができる。
【００３２】
アクセサリ８００は、本開示のいくつかの例において、電話アダプタ８０２、連結器８０４、および試験片アダプタ８０６を含む。電話アダプタ８０２は特定の電話モデル用に構成され、試験片アダプタ８０６は特定の試験片タイプ用に構成され、連結器８０４は電話アダプタと試験片アダプタとの間の共通インターフェースを提供するため、異なる電話モデル用の電話アダプタは異なる試験片タイプ用の試験片アダプタとともに使用されてもよい。連結器インターフェースは、複数のベンダー／製造業者が使用するために標準化されてもよい。電話アダプタ８０２は、クリップ７００であってもよい。図示のように、クリップ８０２は携帯電話１０２上を摺動して固定され、連結器８０４はクリップ上を摺動して固定され、試験片アダプタ８０６は連結器に取り付けられる。試験片アダプタ８０６のスロットには、試験片８０８およびコードカード８１０が挿入される。
【００３３】
図９は、本開示のいくつかの例における連結器８０４のアセンブリを示す。連結器８０４は、連結器本体９０２、光ガイド９１０、および蓋９１４を含む。
【００３４】
連結器本体９０２は、カメラウィンドウ９０６およびスクリーンウィンドウ９０８を画定するベース９０４を有する。連結器８０４がクリップ８０２に取り付けられると、カメラウィンドウ９０６はカメラウィンドウ２０８（図２）およびカメラ１０８（図１）の上方に配置され、スクリーンウィンドウ９０８はスクリーン開口２１０（図２）およびスクリーン１１０（図１）の一部の上方に配置される。
【００３５】
光ガイド９１０は、接着剤または機械的な取り付けによって連結器本体９０２内に着座して固定される。光ガイド９１０は連結器本体９０２のカメラウィンドウ９０６の上方の穴、空間、または穴と空間との組み合わせを画定する。
【００３６】
蓋９１４は、連結器本体９０２の開口した上部に係止してケースを形成する。蓋９１４は、光ガイド９１０の穴または空間９１２の上の試験片開口９１６を画定する。
【００３７】
図１０は、本開示のいくつかの例における試験片アダプタ８０６のアセンブリを示す。試験片アダプタ８０６は、試験片開口１００２を画定するカバー本体１０００を有するカバーである。カバー本体１０００は、試験片開口１００２の２つの側面に沿ったトラック１００４を含む。カバー８０６は、開位置と閉位置との間で摺動可能にトラック１００４に嵌合するタブ１００８を有するスライドドア１００６を含む。スライドドア１００６が開いているとき、ユーザは試験片開口１００２の真下に位置する試験片８０８にサンプルを沈着させることができる。
【００３８】
図１１は、本開示のいくつかの例におけるコードカード８１０を示す。コードカード８１０は、コードラベル１１０２と、ラベルを装着するための凹部１１０５を画定するラベルアダプタ１１０４とを含む。ラベルアダプタ１１０４は、カバー８０６（図８）のコードカードスロットの側面の保持機構相手部に固定される保持機構１１０６を含む。
【００３９】
図１２は、本開示の例における蓋９１４の裏側を示す。蓋９１４の裏側は、温度検出カード１２０６を固定するための試験片開口９１６に隣接するフレーム１２０２を画定する。
【００４０】
図１３−１および図１３−２は、本開示のいくつかの例における携帯電話１０２用のアクセサリ１３００のアセンブリを示す。アクセサリ１３００およびソフトウェアを使用して、携帯電話１０２は、試験片の特性を測定し、特性を健康情報に関連付けることができる。
【００４１】
アクセサリ１３００は、本開示のいくつかの例において、電話アダプタ１３０２、連結器１３０４、および試験片アダプタ１３０６を含む。電話アダプタ１３０２は特定の電話モデル用に構成され、試験片アダプタ１３０６は特定の試験片タイプ用に構成され、連結器１３０４は電話アダプタと試験片アダプタとの間の共通インターフェースを提供する。
【００４２】
電話アダプタ１３０２は、クリップ７００と類似のリムーバブルクリップである。図示のように、クリップ１３０２は携帯電話１０２の上を摺動して固定され、連結器１３０４はクリップの上を摺動して固定され、試験片アダプタ１３０６は連結器に取り付けられる。試験片アダプタ１３０６は、アダプタカバー１３０８および試験片キャリア１３１０を含む。アダプタカバー１３０８は、試験片キャリア１３１０を受け入れるためのスロットを画定するガイド１３１１を有する。試験片キャリア１３１０は、上半部１３１２および下半部１３１４を含む。試験片１３１６は、接着剤または機械的な取り付けによって着座され、下半部１３１４に固定され、上半部１３１２は下半部に固定される。上半部１３１２は、サンプルを試験片１３１６に運ぶサンプルコレクタ１３１８を画定する。一部の用途では、使用者は、溶液（例えば、緩衝液）の入ったチューブ１３１７にサンプルを沈着させ、溶液とサンプルを混合し、チューブをサンプルコレクタ１３１８に挿入して試験片１３１６に混合液を提供する。下半部１３１４は、試験片１３１６上の反応領域を見るための試験片開口１３２０を含む。
【００４３】
図１４−１および図１４−２は、本開示のいくつかの例におけるカバー１３０８と互換性のある試験片キャリア１４００を示す。試験片キャリア１４００は、試験片キャリア１３１０と類似する。試験片キャリア１４００は、上半部１４０２および下半部１４０４を含む。２つの異なる試験片１４０６および１４０８が、接着剤または機械的な取り付けによって、下半部１４０４に着座および固定され、上半部１４０２は下半部に固定される。上半部１４０２は、サンプルを試験片１４０６および１４０８に運ぶためのサンプルコレクタ１４１０を画定する。下半部１４０４は、試験片１４０６および１４０８上の反応領域を見るための試験片開口１４１２を含む。
【００４４】
図１５は、本開示のいくつかの例における携帯電話１０２用のアクセサリ１５００のアセンブリを示す。アクセサリ１５００およびソフトウェアを使用して、携帯電話１０２は、試験片の特性を測定し、特性を健康情報に関連付けることができる。
【００４５】
アクセサリ１５００は、本開示のいくつかの例において、電話アダプタ１５０２、連結器１５０４、および試験片アダプタ１５０６を含む。電話アダプタ１５０２は、特定の電話モデル（例えばＡｐｐｌｅ社[登録商標]のｉＰｈｏｎｅ６[登録商標]）用に構成され、試験片アダプタ１５０６は特定の試験片タイプ用に構成され、連結器１５０４は電話アダプタと試験片アダプタとの間に共通インターフェースを提供する。電話アダプタ１５０２は、クリップ７００であってもよい。図示されているように、クリップ１５０２は、携帯電話１０２の上を摺動して固定され、連結器１５０４がクリップ上を摺動して固定され、試験片アダプタ１５０６が試験片１５０８に取り付けられ、試験片アダプタが連結器上を摺動して固定される。試験片アダプタ１５０６を試験片１５０８に取り付ける前に、ユーザは、試験片にサンプルを沈着させる。
【００４６】
図１６−１および図１６−２は、本開示のいくつかの例における試験片アダプタ１５０６の分解図を示す。試験片アダプタ１５０６は、試験片カバー１６０２およびアダプタキャップ１６０４を含む。試験片カバー１６０２は、特定のタイプの試験片１５０８への機械的アタッチメントである。試験片カバー１６０２は、締まり嵌めによって試験片１５０８を受け入れて固定するように寸法決めされた開口部を画定している。試験片カバー１６０２は、サンプル穴１６０８を画定する上部を有する。試験片カバー１６０２は、少なくとも２つの側面に沿ってタブ１６０６を有する。タブ１６０６は他の試験片タイプ用の試験片アダプタと共有されるインターロックであるため、すべてのタブ１６０６は連結器１５０４と互換性がある。各タブ１６０６は、戻り止めノッチまたは戻り止めキャッチなどの保持機構１６０７を有する。アダプタキャップ１６０４は、保持機構（例えばスナップフィットジョイント）を介して試験片カバー１６０２と嵌合し固定される。アダプタキャップ１６０４は、サンプル穴１６０８および試験片１５０８上のサンプルポート１６１２と連通するサンプルコレクタ１６１０を画定する上部を有する。
【００４７】
図１７−１および１７−２は、本開示のいくつかの例における連結器１５０４の分解図を示している。連結器１５０４は、連結器８０４（図８）と類似している。連結器１５０４は、連結器本体１７０２、光ガイド１７０４および蓋１７０６を含む。連結器本体１７０２は、カメラウィンドウ１７１０およびスクリーンウィンドウ１７１２を画定するベース１７０８を有する。連結器１５０４がクリップ１５０２に取り付けられると、カメラウィンドウ１７１０は、カメラウィンドウ２０８（図２）およびカメラ１０８（図１）の上方に配置され、スクリーンウィンドウ９０８はスクリーン開口２１０（図２）およびスクリーン１１０（図１）の一部の上方に配置される。連結器本体１７０２は、クリップ１５０２のインターロック相手部と対をなす２つの側部下端にインターロック１７１１を有する。例えば、インターロック１７１１はタブまたはウェイからなり、クリップ１５０２のインターロック相手部はこのタブまたはウェイを受けるスロットまたはレール（クリップ７００上のスロット７０６）からなる。各タブ１７１１は、電話アダプタ１５０２上の対応するスロット内の保持機構相手部と係合する保持機構（例えば、戻り止めキャッチまたは戻り止めノッチ）を含んでもよい。
【００４８】
光ガイド１７０４は、接着剤または機械的取り付けによって、連結器本体１７０２内に着座して固定される。光ガイド１７０４は、空間１７１４と、連結器本体１７０２のカメラウィンドウ９０６の上方に穴１７１３を画定するベースとを有する。蓋１７０６は、連結器本体１７０２の開口頂部に係止してケースを形成する。蓋１７０６は、光ガイド１７０４の穴または空間１７１４の上方に配置された試験片開口１７１６を画定する。
【００４９】
蓋１７０６は、試験片アダプタ１５０６のインターロック相手部と対なす２つの側部上端にインターロック１７１８を有する。例えば、インターロック１７１８はスロットまたはレールからなり、試験片アダプタ１５０６上のインターロック相手部はタブ１６０６またはウェイからなる。各スロット１７１８は、試験片アダプタ１５０６の対応するタブ１６０６内の保持機構相手部と係合する保持機構１７２０を含む。例えば、保持機構１７２０は、戻り止めキャッチまたは戻り止めノッチである。
【００５０】
図１６−３は、本開示のいくつかの例における試験片アダプタ１６２０の分解図を示す。試験片アダプタ１６２０は、連結器１５０４（図１５）と互換性がある。試験片アダプタ１６２０は、シース１６２２およびキャップ１６２４を含む。キャップ１６２４は、特定のタイプの試験片１６２６への機械的アタッチメントである。キャップ１６２４は、試験片がキャップ内に挿入されたときに締まり嵌めによって試験片１６２６を保持するような寸法のキャビティ１６２７を画定する。試験片１６２６は、シース１６２２に挿入され、キャップ１６２４をシースの開放端に固定すると固定される。試験片１６２６をシース１６２２に挿入する前に、ユーザは試験片にサンプルを沈着させる。シース１６２２の底部は、試験片１６２６を見るための試験片開口１６２８を画定している。シース１６２２は、少なくとも２つの側面に沿ってタブ１６３０を有する。タブ１６３０は、すべて連結器１５０４と互換性があるように、他の試験片タイプ用の試験片アダプタと共有されるインターロックである。各タブ１６３０は、戻り止めノッチまたは戻り止めキャッチなどの保持機構１６３２を有する。
【００５１】
図１８は、本開示のいくつかの例における携帯電話ケース１８００を示す。ケース１８００は、上部１８０２と、中間部１８０４と、下部１８０６とを含む。上部１８０２は、本開示で記載したリムーバブルクリップと類似に実装される。
【００５２】
図１９は、本開示のいくつかの例における背面接着剤付電話アダプタ１９０２の携帯電話１０２への取り付けを示す。電話アダプタ１９０２は、本開示で記載したフェースプレートと類似に実装される。電話アダプタ１９０２の背面は、接着テープ１９０３を含む。
【００５３】
アラインメントクリップ１９０４は、携帯電話１０２上を摺動して固定される。アラインメントクリップ１９０４は、電話アダプタ１９０２用の取り付け空間１９０６を画定する。電話アダプタ１９０２の裏側の接着テープ１９０３に対する裏当てが除去されると接着剤が露出する。電話アダプタ１９０２は、その後、取り付け空間１９０６に配置される。電話アダプタ１９０２が携帯電話１０２に付着した後、アラインメントクリップ１９０４が携帯電話から取り外される。
【００５４】
図２０，２１，および２２は、本開示のいくつかの例における光ガイド２０００の様々な図を示す。光ガイド２０００は、本開示に記載されている試験片キャリアおよび連結器における光ガイドとして使用され得る。
【００５５】
光ガイド２０００は、くさび部２００２と、それらの間の空間によって分離された脚部２００４とを有する。くさび部２００２は、水平な入力面２００６と、入力面の上方にある角度の付いた反射面２００８と、反射面と対向する鉛直出力面２０１０とを有する。内部全反射を使用して、反射面２００８は、光を入力面２００６から出力面２０１０に向ける。
【００５６】
脚部２００４は、出力面２０１０の頂部付近で対向して出力面２０１０から側方に延びる。光は、脚部２００４に入り、内部で反射し、脚部の上部を通って出て、脚部の上方の領域を照らす。各脚部２００４は、４５°の反射面２０１４を有する遠位端を有する。内部全反射を使用して、４５°の反射面２０１４は、脚部２００４の頂部から光を出射する。
【００５７】
傾斜反射面２００８は、傾斜反射面の頂部の周りに拡散領域２０１２を有する。拡散領域２０１２は、光が脚部２００４に入るときに光を散乱させ、光が脚部２００４の頂部から均一に出るのを助ける。各脚部２００４は、出力面２０１０の近くの脚部の頂部に拡散領域２０１６を含む。拡散領域２０１６は、光が脚部２００４のその部分を出るときに光を散乱させ、光が脚部の上方の試験片を均一に照らすのを助ける。脚部２００４の間には、試験片を見るための空間２０１８が画定されている。
【００５８】
図２３，２４，および２５は、本開示のいくつかの例における光ガイド２３００の様々な図を示す。光ガイド２３００は、本開示で記載した光ガイドとして使用することができる。
【００５９】
光ガイド２３００は、４５°の反射面２３０２と、それらの間に空間を画定する３つの反射側壁面２３０４と、反射ベース面２３０６とを含む。反射ベース面２３０６は、光が光ガイド２３００の下から入射することを可能にする入力ポート２３０７を画定する。反射ベース面は、カメラウィンドウ２３０８を画定する。
【００６０】
図２６は、本開示のいくつかの例におけるモバイル機器１０２（例えば、携帯電話）のアクセサリ２６００を示す。アクセサリ２６００およびソフトウェアを使用して、携帯電話１０２は、試験片の特性を測定し、特性を健康情報に関連付けることができる。アクセサリ２６００は、試験片アダプタ２６０２および汎用電話アダプタ２６０４を含む。
【００６１】
図２７を参照すると、試験片アダプタ２６０２は、上部２７０４と下部２７０６を有するシースを含む。試験片２７０８は下部２７０６に着座して取り付けられ、上部２７０４が下部に固定される。下部２７０６は、試験片２７０８を見るための試験片開口２７０７を画定する。下部２７０６は、汎用電話アダプタ２６０４（図２８）のポート２８０８（図２８）に挿入され摩擦固定されるインサート２７１２を有する。
【００６２】
図２８を参照すると、汎用電話アダプタ２６０４は、アダプタベース２８０２、光ガイド２８０４、およびアダプタ蓋２８０６を含む。アダプタベース２８０２は、携帯電話１０２のスクリーン１１０（図１）の一部の上方に位置する光ポート２８１０を画定する。アダプタベース２８０２はまた、携帯電話１０２のカメラ１０８（図１）上のカメラ穴２８１２を画定する。アダプタベース２８０２は、汎用電話アダプタ２６０４を携帯電話１０２の上端部に固定する汎用クリップ２８１４を含む。汎用クリップ２８１４は、複数の携帯電話モデルに適合して固定するように寸法決めされている。
【００６３】
光ガイド２８０４は、本開示で記載した光ガイドのうちの１つであってもよい。光ガイド２８０４は、アダプタベース２８０２に着座され固定される。アダプタ蓋２８０６は、試験片アダプタ２６０２（図２７）のインサート２７１２（図２７）を受けるポート２８０８を画定する。アダプタ蓋２８０６は、アダプタベース２８０２上に固定される。
【００６４】
前述から、本開示の様々な実施形態が説明のために本明細書に記載されており、本開示の範囲および精神から逸脱することなく様々な修正がなされ得ることが理解される。したがって、本明細書に開示された様々な実施形態は、特許請求の範囲によって示される真の範囲および精神と共に、限定を意図するものではない。
【符号の説明】
【００６５】
１００  アクセサリ
１０２  携帯電話（モバイル機器）
１０４  クリップ（電話アダプタ）
１０８  カメラ
１１０  スクリーン
１１２  試験片機器
１１４  サンプルコレクタ
２０２  フェースプレート
２０４  レシーバスロット
２０８  カメラウィンドウ
２１０  スクリーン開口
２１２  フレーム（ガイド）
３０２  保持機構
４０２  バックプレート
４０４  側壁
４０６  バネ
４０８  突起
５００−１  試験片キャリア
５００−２  試験片キャリア
５０２  試験片
５０４  キャリア本体
５０８  光ガイド
５１０  試験片
５１０−１  入力ポート
５１０−２  出力ポート
５１２  カメラ穴
５１３  アンカー
５１４  キャリアベース
５１６  光穴
５１８  カメラ穴
５２０  ランセット
５２２  キャリアカバー
５２４  キャリア本体
５２６  ガイドポスト
５２６  ガイド
５２７  ガイド
５２８  試験片開口
６００  電話アダプタ
６００  クリップ
６０２  電話モデル
６０４  カメラウィンドウ
６０６  スクリーンウィンドウ
６０８  ガイド
６１０  アンカースロット
７００  クリップ（電話アダプタ）
７０２  フェースプレート
７０４  クリップ
７０６  スロット
７０６  ガイド（インターロック）
７１２  レール（スロット）
７１４  保持機構
８００  アクセサリ
８０２  電話アダプタ
８０２  クリップ
８０４  連結器
８０６  試験片アダプタ（カバー）
８０８  試験片
８１０  コードカード
９０２  連結器本体
９０４  ベース
９０６  カメラウィンドウ
９０８  スクリーンウィンドウ
９１０  光ガイド
９１２  空間
９１４  蓋
９１６  試験片開口
１０００  カバー本体
１００２  試験片開口
１００４  トラック
１００６  スライドドア
１００８  タブ
１１０２  コードラベル
１１０４  ラベルアダプタ
１１０５  凹部
１１０６  保持機構
１２０２  フレーム
１２０６  温度検出カード
１３００  アクセサリ
１３０２  クリップ（電話アダプタ）
１３０４  連結器
１３０６  試験片アダプタ
１３０８  カバー
１３１０  試験片キャリア
１３１１  ガイド
１３１２  上半部
１３１４  下半部
１３１６  試験片
１３１７  チューブ
１３１８  サンプルコレクタ
１３２０  試験片開口
１４００  試験片キャリア
１４０２  上半部
１４０４  下半部
１４０６  試験片
１４０８  試験片
１４１０  サンプルコレクタ
１４１２  試験片開口
１５００  アクセサリ
１５０２  クリップ（電話アダプタ）
１５０４  連結器
１５０６  試験片アダプタ
１５０８  試験片
１６０２  試験片カバー
１６０４  アダプタキャップ
１６０６  タブ
１６０７  保持機構
１６０８  サンプル穴
１６１０  サンプルコレクタ
１６１２  サンプルポート
１６２０  試験片アダプタ
１６２２  シース
１６２４  キャップ
１６２６  試験片
１６２７  キャビティ
１６２８  試験片開口
１６３０  タブ
１６３２  保持機構
１７０２  連結器本体
１７０４  光ガイド
１７０６  蓋
１７０８  ベース
１７１０  カメラウィンドウ
１７１１  タブ（インターロック）
１７１２  スクリーンウィンドウ
１７１３  穴
１７１４  空間
１７１６  試験片開口
１７１８  スロット（インターロック）
１７２０  保持機構
１８００  ケース
１８０２  上部
１８０４  中間部
１８０６  下部
１９０２  電話アダプタ
１９０３  接着テープ
１９０４  アラインメントクリップ
１９０６  空間
２０００  光ガイド
２００２  部
２００４  脚部
２００６  入力面
２００８  反射面
２０１０  出力面
２０１２  拡散領域
２０１４  反射面
２０１６  拡散領域
２０１８  空間
２３００  光ガイド
２３０２  反射面
２３０４  反射側壁面
２３０６  反射ベース面
２３０７  入力ポート
２３０８  カメラウィンドウ
２６００  アクセサリ
２６０２  試験片アダプタ
２６０４  汎用電話アダプタ
２７０４  上部
２７０６  下部
２７０８  試験片
２７１２  インサート
２８０２  アダプタベース
２８０４  光ガイド
２８０６  アダプタ蓋
２８０８  ポート
２８１０  光ポート
２８１２  カメラ穴
２８１４  汎用クリップ
【図１】
2018536838.tif 000003
【図２】
2018536838.tif 000004
【図３】
2018536838.tif 000005
【図４】
2018536838.tif 000006
【図５−１】
2018536838.tif 000007
【図５−２】
2018536838.tif 000008
【図５−３】
2018536838.tif 000009
【図６】
2018536838.tif 000010
【図７】
2018536838.tif 000011
【図８】
2018536838.tif 000012
【図９】
2018536838.tif 000013
【図１０】
2018536838.tif 000014
【図１１】
2018536838.tif 000015
【図１２】
2018536838.tif 000016
【図１３−１】
2018536838.tif 000017
【図１３−２】
2018536838.tif 000018
【図１４−１】
2018536838.tif 000019
【図１４−２】
2018536838.tif 000020
【図１５】
2018536838.tif 000021
【図１６−１】
2018536838.tif 000022
【図１６−２】
2018536838.tif 000023
【図１６−３】
2018536838.tif 000024
【図１７−１】
2018536838.tif 000025
【図１７−２】
2018536838.tif 000026
【図１８】
2018536838.tif 000027
【図１９】
2018536838.tif 000028
【図２０】
2018536838.tif 000029
【図２１】
2018536838.tif 000030
【図２２】
2018536838.tif 000031
【図２３】
2018536838.tif 000032
【図２４】
2018536838.tif 000033
【図２５】
2018536838.tif 000034
【図２６】
2018536838.tif 000035
【図２７】
2018536838.tif 000036
【図２８】
2018536838.tif 000037
【手続補正書】
【提出日】平成29年1月24日(2017.1.24)
【手続補正１】
【補正対象書類名】特許請求の範囲
【補正対象項目名】全文
【補正方法】変更
【補正の内容】
【特許請求の範囲】
【請求項１】
試験片タイプ用の試験片アタッチメントと、他の試験片タイプ用の他の試験片アダプタと共有される第１インターロックとを含む試験片アダプタと、
モバイル機器モデル用の電話アタッチメントと、他のモバイル機器モデル用の他の電話アダプタと共有される第２インターロックとを含む電話アダプタと、
前記試験片アダプタの前記第１インターロックと第１の対をなす第３インターロックと、前記電話アダプタの第２インターロックと第２の対をなす第４インターロックとを有する連結器と
を備える、試験片の特性を測定するモバイル機器用のアクセサリ。
【請求項２】
前記試験片アダプタは、
前記第１インターロックを有し、（１）開放端部および（２）試験片を見るための底部開口を画定するシースと、
前記シースのキャップであり、前記試験片を受け入れるためのキャビティを画定する前記キャップであって、前記キャビティが試験片アタッチメントである前記キャップと
を備える、請求項１に記載のアクセサリ。
【請求項３】
前記試験片アダプタは、
前記試験片に嵌合する試験片カバーであって、前記試験片アタッチメントである前記試験片カバーと、
前記試験片カバーに嵌合するキャップであって、前記第１インターロックを有する前記キャップと
を備える、請求項１に記載のアクセサリ。
【請求項４】
前記連結器は、ケースを備え、
前記ケースは、
前記第３インターロックを含み、前記試験片アダプタ内の前記試験片への試験片開口を画定する上部と、
前記第４インターロックを含み、（１）モバイル機器の画面の一部へのスクリーン開口と、（２）モバイル機器のカメラへのカメラ開口とを画定する下部と
を備える、請求項１に記載のアクセサリ。
【請求項５】
前記連結器は、前記スクリーン開口を通じてスクリーンの一部から受け取る光を受光し、前記試験片開口を通じて見られる前記試験片を均一に照明するための前記ケース内の光ガイドを含む、請求項４に記載のアクセサリ。
【請求項６】
前記光ガイドは、くさび部と、前記くさび部の出力面から長手方向に延びる２つの脚部とを含む、請求項５に記載のアクセサリ。
【請求項７】
前記くさび部は、
前記スクリーン開口の上方の入力面と、
前記スクリーン開口の上方の傾斜した反射面と、
前記傾斜した反射面と対向する鉛直出力面と
を備え、
前記２つの脚部は、反射面を含む先端を備える、請求項６に記載のアクセサリ。
【請求項８】
前記反射面は、拡散領域を含み、
前記２つの脚部は、前記拡散領域対向する出力面から延びており、
前記２つの脚部は、前記出力面に近接した拡散領域を含む上面を有している、請求項７に記載のアクセサリ。
【請求項９】
前記光ガイドは、
前記スクリーン開口の上方の傾斜した反射面と、
３つの反射側壁面と、
開口を画定するベース反射面と
備える、請求項５に記載のアクセサリ。
【請求項１０】
前記電話アダプタは、
カメラ開口を画定し、前記第２インターロックを備えるフェースプレートと、
前記フェースプレートの３つの側面から延びるばねクリップと
を備える、リムーバブルクリップである、請求項１に記載のアクセサリ。
【請求項１１】
前記電話アダプタは前記モバイル機器ケースの一部であり、前記一部はカメラ開口および前記第２インターロックを含む、請求項１に記載のアクセサリ。
【請求項１２】
前記電話アダプタは、カメラ開口を画定するフェースプレートであり、前記フェースプレートは、（１）前記第２インターロックおよび（２）前記フェースプレートの背面の接着剤を有する、請求項１に記載のアクセサリ。
【請求項１３】
前記試験片アダプタは前記連結器へのカバーおよび試験片キャリアを含み、前記カバーは前記試験片キャリアを受け入れるスロットを画定する、請求項１に記載のアクセサリ。
【請求項１４】
前記試験片キャリアは、
サンプルコレクタを画定する上半部と、
前記試験片アタッチメントを有し、記試験片への試験片開口を画定する下半部と
を備える、請求項１３に記載のアクセサリ。
【請求項１５】
前記試験片アダプタは前記連結器へのカバーを含み、前記カバーは前記試験片または前記試験片キャリアを受け入れるスロットを画定する、請求項１３に記載のアクセサリ。
【請求項１６】
前記カバーは、前記試験片にアクセスするための上部スライドドアを備える、請求項１５に記載のアクセサリ。
【請求項１７】
前記カバーはコードカードを受けるためのコードスロットを備え、前記コードカードは前記試験片についての識別情報を含む、請求項１６に記載のアクセサリ。
【請求項１８】
モバイル機器のカメラへのカメラ開口を画定するフェースプレートと、
モバイル機器モデル用の電話アタッチメントと、
試験片に対するガイド、試験片アダプタ、または前記試験片アダプタの連結器と
を備える、試験片の特性を測定するためのモバイル機器へのアクセサリにおける電話アダプタ。
【請求項１９】
前記電話アダプタは前記フェースプレートの３つの側面から延びるばねクリップを有するリムーバブルクリップである、請求項１８に記載の電話アダプタ。
【請求項２０】
前記電話アダプタは、キャップ、または、前記モバイル機器の上端に嵌合するケースの一部である、請求項１８に記載の電話アダプタ。
【請求項２１】
前記フェースプレートは前記フェースプレートの背面に接着剤を有している、請求項１８に記載の電話アダプタ。
【請求項２２】
前記ガイドは、試験片キャリアまたはアダプタの形状に合うフェースプレート上のフレームを含む、請求項１８に記載の電話アダプタ。
【請求項２３】
前記ガイドは、他のモバイル機器モデル用の他の電話アダプタと共有されるインターロックを備える、請求項１８に記載の電話アダプタ。
【請求項２４】
前記試験片アダプタまたは前記連結器は、前記電話アダプタの前記インターロックと対をなす別のインターロックを備える、請求項２３に記載の電話アダプタ。
【請求項２５】
第１インターロックを有し、試験片への試験片開口を画定する上部と、
第２インターロックを有し、（１）モバイル機器のスクリーン開口の一部へのスクリーン開口および（２）前記モバイル機器のカメラへのカメラ開口を画定し、前記カメラ開口は前記試験片開口と対向する下部と
を備えるケースを有する、試験片の特性を測定するためのモバイル機器へのアクセサリにおける連結器。
【請求項２６】
前記ケース内に光ガイドをさらに含む、請求項２５に記載の連結器。
【請求項２７】
前記光ガイドは、くさび部と、前記くさび部の出力面から長手方向に延びる２つの脚部とを備える、請求項２６に記載の連結器。
【請求項２８】
前記くさび部は、前記スクリーン開口の上方の入力面と、前記スクリーン開口の上方の傾斜した反射面と、前記傾斜した反射面と対向する鉛直出力面とを備え、
前記２つの脚部は、反射面を有する先端を備える、請求項２７に記載の連結器。
【請求項２９】
前記反射面は、拡散領域を含み、
前記２つの脚部は、前記拡散領域と対向する出力面から延びており、
前記２つの脚部は、前記出力面に近接した拡散領域を含む上面を有している、請求項２６に記載の連結器。
【請求項３０】
前記光ガイドは、
前記スクリーン開口の情報の傾斜した反射面と、
３つの反射側壁面と、
開口を画定するベース反射面と
を備える、請求項２５に記載の連結器。
【請求項３１】
温度を示す温度カードをさらに備える、請求項２５に記載の連結器。
【請求項３２】
試験片を摩擦保持するように寸法決めされたキャビティを画定するキャップと、
インターロックを備え、（１）前記キャップを受ける開口端および（２）前記試験片を見るための底部開口を画定するシースと
を備える、試験片用の試験片アダプタ。
【請求項３３】
試験片に嵌合し、前記試験片を保持する試験片カバーと、
前記試験片カバーに嵌合し、前記試験片カバーを保持し、インターロックを備える前記キャップと
を備える、試験片用の試験片アダプタ。
【請求項３４】
前記連結器は、光路と、前記モバイル機器のスクリーンの一部へのスクリーン開口と、前記モバイル機器のカメラへのカメラ開口と、光フィルタと、光ガイドとを含む、請求項１に記載のアクセサリ。
【請求項３５】
前記モバイル機器のスクリーンの一部から送られる光は、底部開口を通過し、前記モバイル機器のカメラに到達する、請求項２に記載のアクセサリ。
【請求項３６】
前記モバイル機器のスクリーンの一部から送られる光は、試験片カバー開口および光フィルタを通過し、前記モバイル機器のカメラに到達する、請求項３に記載のアクセサリ。
【請求項３７】
前記電話アダプタは、光フィルタを介して前記モバイル機器のスクリーンの一部から送られる光の光路上にカメラ開口を画定する、請求項１に記載のアクセサリ。
【請求項３８】
前記カメラ開口は、前記モバイル機器のスクリーンの一部から送られる光を受けるように構成されている、請求項１８に記載のアダプタ。
【請求項３９】
シースおよび第１インターロックを有する試験片アダプタと、
第２インターロックを有する電話アダプタと
を備え、
前記第１インターロックは、前記第２インターロックに摩擦固定されるように構成される、試験片の特性を測定するためのモバイル機器用のアクセサリ。
【請求項４０】
前記シースは、上部および下部を備え、
前記上部および前記下部のいずれかにおいて試験片を受けるように構成される、請求項３９に記載のアクセサリ。
【請求項４１】
前記上部および前記下部の一つは、前記モバイル機器のスクリーンの一部から送られる光の下方で前記試験片の一部を露出させる開口を画定する、請求項４０に記載のアクセサリ。
【請求項４２】
前記第１インターロックは、インサートである、請求項３９に記載のアクセサリ。
【請求項４３】
前記電話アダプタは、
ベースと、
蓋と、
前記ベースと前記蓋との間に配置される光ガイドと
を備える、請求項３９に記載のアクセサリ。
【請求項４４】
前記ベースは、前記モバイル機器のスクリーンの一部の上方に配置される光ポートと、前記モバイル機器のカメラの上方のカメラ穴とを画定する、請求項４３に記載のアクセサリ。
【請求項４５】
前記光ポート、前記光ガイド、および前記カメラ穴は、光フィルタを通じて前記モバイル機器から送られる光用の光路を画定する、請求項４４に記載のアクセサリ。
【請求項４６】
前記ベースは、前記モバイル機器の前記電話アダプタを固定するための、前記モバイル機器の上方に寸法的に合う固定部を備える、請求項４３に記載のアクセサリ。
【請求項４７】
前記蓋はポートを画定し、
前記ポートは前記第２インターロックである、請求項４３に記載のアクセサリ。
【国際調査報告】
2018536838.tif 000038
2018536838.tif 000039